【事件の表示】
　平成８年特許願第２２４７７３号「露出コンセント」拒絶査定に対する審判事件（平成９年７月２２日出願公開、特開平９−１９０８４５）について、次のとおり審決する。
【結論】
　本件審判の請求は、成り立たない。
【理由】
１．本願発明
　本願は、昭和６２年８月２６日に出願された特願昭６２−２１２５１１号を原出願として、平成８年８月２７日に特許法第４４条第１項の規定により新たな特許出願としたものであって、その発明の要旨は、補正された明細書及び図面の記載からみて、その特許請求の範囲第１項に記載された次の通りのものと認める（以下、「本願発明」という。）。
「プラグの栓刃を挿入する栓刃挿入孔を前面に備えたカバーと、カバーに連結固定されるボディと、栓刃挿入孔から挿入された栓刃と接触するよう栓刃挿入孔に対応して設けられた刃受ばねと、刃受ばねに電線を接続する端子部と、を備えた露出コンセントにおいて、
　挿入された電線を端子部に誘導する電線挿入孔を端子部に対応して且つ栓刃挿入孔を備えた面と異なる面に設け、端子部に対応して錠ばねを設け、
　錠ばねと端子部との間に前記電線が嵌入され錠ばねの鎖錠部が電線に係止されるようにすると共に、
　錠ばねの鎖錠部を押動する指操作可能な操作部を有する電線接続解除釦をカバーの前面側に設け、電線接続解除釦の押圧により鎖錠部を押動し電線への鎖錠部の係止を解除すると共に、端子部を複数並設し、電線接続解除釦が複数の錠ばねの鎖錠部それぞれを同時に押圧することを特徴とする露出コンセント。」
２．引用刊行物記載の発明
　これに対して、原査定の拒絶の理由に引用された、本願の原出願の日前である昭和４９年１０月２９日に頒布された「実公昭４９−３９４３４号公報」（以下「引用刊行物１」という。）には、次の事項が図面とともに記載されている。
（Ａ）１は刃受けばねであり第３図に示すように刃受けばね１の上部のばね部で図外端子を弾性的に保持するように形成され刃受けばね１の下部と一体的に連なるコ字状の端子部２が刃受けばね１の側端外部に設けられる。端子部２の上辺の奥方部にはストッパ１５が曲設され端子部２の下辺底部にはストッパ９が切起され端子部２の上辺には切欠部３が切設される。このように形成された刃受けばね１の端子部２には鎖錠ばね１０を装着する。（第１頁左欄第３１行〜右欄第２行）
（Ｂ）端子部２の切欠部３には押しボタン７が挿入される。押しボタン７は下部にП状の押え部を刃受けばね１の並設個数に応じて設ける。（第１頁右欄第８行〜第１１行）
（Ｃ）コンセントの外装体１１の両端には図外ＶＡケーブル６の接続子の挿入孔１２が設けられ挿入孔１２と連通するスペース１３が外装体１１内に設けられ外装体１１上部には更に押しボタン７用の孔１４が穿設されるスペース１３内には前述のように組成された刃受けばね１が装着される。（第１頁右欄第２２行〜第２８行）
　これらの記載事項及び図面に示された事項によると、引用刊行物１には「プラグの栓刃を挿入する栓刃挿入孔を前面に備えた外装体と、栓刃挿入孔から挿入された栓刃と接触するよう栓刃挿入孔に対応して設けられた刃受ばね（「刃受けばね１」が相当）と、刃受ばねに電線を接続する端子部（「端子部２」が相当）と、を備えた露出コンセントにおいて、
　挿入された電線を端子部に誘導する電線挿入孔（「挿入孔１２」が相当）を端子部に対応して且つ栓刃挿入孔を備えた面と異なる面に設け（図面より明らか）、端子部に対応して錠ばね（「鎖錠ばね１０」が相当）を設け、錠ばねと端子部との間に前記電線が嵌入され錠ばねの鎖錠部が電線に係止されるようにする（図面より明らか）と共に、
　錠ばねの鎖錠部を操作可能な操作部を有する押しボタンをカバーの前面側に設け（図面より明らか）、押ボタンの押圧により鎖錠部を押動する（図面より明らか）と共に、端子部を複数並設（図面より明らか）し、押ボタンが複数の錠ばねの鎖錠部それぞれを同時に押圧することを特徴とする露出コンセント。」の発明が記載されているものと認められる。
　また、同じく引用された、本願の原出願の日前である昭和５５年１１月１９日に頒布された「実願昭５４−６０６３６号（実開昭５５−１６１３６７号）のマイクロフィルム」（以下「引用刊行物２」という。）には、次の事項が図面とともに記載されている。
（Ｄ）端子板１の一端をコ字状に成形し、その上辺に切欠き部２が切起され、下辺にストッパ３が切設され、このコ字状部に鎖錠ばね４を装置する。鎖錠ばね４には、鎖錠角部５と接触部６が形成されている。前記端子板１の切欠き部２には押ボタン７が挿入される。これらを底外装体８内に収納し、ふた外装体９をかぶせて構造されている。また、端子板１の他端は上記と対称な構造を有している。この構造において電線１０を矢印の方向に挿入し、鎖錠ばね４の鎖錠角部５と接触部６との上面にて電線１０の絶縁被覆皮むき部１１を押圧保持するものである。（明細書第２頁第１行〜第１２行）
（Ｅ）電線１０をはずす必要が生じた場合は、押ボタン７を下方に押すことにより鎖錠角部５の絶縁被覆皮むき部１１への食い込み部が外ずれ、電線１０を引き抜くものである。（明細書第２頁第１５行〜第１９行）
　これらの記載事項及び図面に示された事項によると、引用刊行物２には「端子部（「端子板１の一端」が相当）に対応して錠ばね（「鎖錠ばね４」が相当）を設け、錠ばねと端子部との間に前記電線が嵌入され錠ばねの鎖錠部が電線に係止されるようにすると共に、
　錠ばねの鎖錠部を押動する指操作可能な操作部を有する電線接続解除釦（「押しボタン７」が相当）をカバー（「ふた外装体９」が相当）の前面側に設け、電線接続解除釦の押圧により鎖錠部を押動し電線への鎖錠部の係止を解除する機構。」が記載されているものと認められる。
３．対比
　本願発明と、引用刊行物１に記載の発明を対比すると、両者は、「栓刃挿入孔から挿入された栓刃と接触するよう栓刃挿入孔に対応して設けられた刃受ばねと、刃受ばねに電線を接続する端子部と、を備えた露出コンセントにおいて、
　挿入された電線を端子部に誘導する電線挿入孔を端子部に対応して且つ栓刃挿入孔を備えた面と異なる面に設け、端子部に対応して錠ばねを設け、錠ばねと端子部との間に前記電線が嵌入され錠ばねの鎖錠部が電線に係止されるようにすると共に、
　錠ばねの鎖錠部を操作可能な操作部を有する押しボタンをカバーの前面側に設け、押ボタンの押圧により鎖錠部を押動すると共に、端子部を複数並設し、押ボタンが複数の錠ばねの鎖錠部それぞれを同時に押圧することを特徴とする露出コンセント。」である点で一致しており、一方、
（１）本願発明は、「プラグの栓刃を挿入する栓刃挿入孔を前面に備えたカバーと、カバーに連結固定されるボディと」を備えているのに対し、引用刊行物に記載された発明では、「プラグの栓刃を挿入する栓刃挿入孔を前面に備えた外装体」を備えているものの、「外装体」がどのような構造であるか明示されていない点、及び
（２）本願発明では「電線接続解除釦の押圧により鎖錠部を押動し電線への鎖錠部の係止を解除する」ものであるのに対し、引用刊行物１に記載のものは「押ボタンが複数の錠ばねの鎖錠部それぞれを同時に押圧する」ものの、係止を解除するものではなく鎖錠部に対して電線を押圧するものである点で、それぞれ相違する。
４．当審の判断
　上記相違点（１）について検討すると、引用刊行物１に記載の「外装体」も何等かの形で分割可能な構造として内部に「刃受けばね」等のものを収容するであろうことは図面等から明らかであり、「外装体」を、「プラグの栓刃を挿入する栓刃挿入孔を前面に備えたカバー」と「カバーに連結固定されるボディ」とで構成する程度のことは、当業者であれば容易に成し得たものと認められる。
　また、相違点（２）について検討すると、引用刊行物２に「端子部に対応して錠ばねを設け、錠ばねと端子部との間に前記電線が嵌入され錠ばねの鎖錠部が電線に係止されるようにすると共に、錠ばねの鎖錠部を押動する指操作可能な操作部を有する電線接続解除釦をカバーの前面側に設け、電線接続解除釦の押圧により鎖錠部を押動し電線への鎖錠部の係止を解除する機構」が記載されており、本願発明は引用刊行物１に記載の「押ボタン」の機構に代えてこれを適用したものに相当するが、そうすることにより、格別の効果を奏するものとは認められず、当業者であれば容易に適用することができたものと認められる。
５．むすび
　したがって、本願発明は、引用刊行物１、２に記載された発明に基づいて、当業者が容易に発明をすることができたものとするのが相当であって、特許法第２９条第２項の規定により特許を受けることができない。
　よって、結論のとおり審決する。